(57)【要約】【課題】従来のベッドガード及びプレイルームマット及びプレイジム及びクーファンはそれぞれが個別の形態を採用しているため、これを使用するには個別での購入が必要となっている。又、籠製のクーファンでは丸洗いが不可能であったため不衛生である。又、単品での購入ではベビー成長後に不要になるうえ、不要になった後の収納スペースが広く必要で不便であった。【解決手段】長方形のマット構造を主体とし、これに取り付けるプレイジム用のジムバーやクーファンのキャリーバンド、クリップ付きバックルや日よけ布やプレイジム用の玩具の取り付け手段を同一形態とした。利用用途によってベッドガード、各種プレイルームマット、各種プレイジム、ベビーキャリー用のクーファン等に形成できる。又、布製を主体とし丸洗いを可能とした。【選択図】図１
2008307349.tif 000002
【特許請求の範囲】
【請求項１】
側面（１ａ）〜（１ｐ）及び底面（１ｑ）〜（１ｙ）にて組合せ形成され、その境界線は箱型に形成時に便になる様に縫い目（５ａ）、（５ｃ）、（５ｅ）が挿入されている綿素材の布を使用してなる１枚に形成したマット（１）を縫い目（５ａ）、（５ｃ）、（５ｅ）に沿って箱型に折り曲げ、箱の内側に沿って漏斗型の各折畳み部（１ｍ）〜（１ｐ）を形成し該漏斗型の各４隅をマット（１ｎ）の裏面に止着されたホック雄（２０ａ）とマット（１ｄ）の裏面に止着されたホック雌（２１ａ）を結合し、マット（１０）の裏面に止着されたホック雄（２０ｂ）とマット（１ｆ）に止着されたホック雌（２１ｂ）を結合し、マット（１ｍ）の裏面に止着されたホック雄（２０ｃ）とマット（１１）の裏面に止着されたホック雌（２１ｃ）を結合し、マット（１ｐ）の裏面に止着されたホック雄（２０ｄ）とマット（１ｊ）の裏面に止着されたホック雌（２１ｄ）を結合し、箱型に形成することにより、立体構造のボックス型マット大（２７）を構成し、該構成したボックス型マット大（２７）をベビーベッドに挿入し、ベビーベッドの柵へマット（１）に止着してある縛り紐（２５ａ）〜（２５ｄ）で固定しベッドガードとして使用することを特徴とするプレイルームマットとプレイジムとクーファンの機能を有するベッドガード。
【請求項２】
請求項１にて請求したボックス型マット大（２７）をベビーベット以外で使用する場合はゲージ付きのプレイルームマットとして使用できることを特徴とする請求項１記載のプレイルームマットとプレイジムとクーファンの機能を有するベッドガードの使用方法。
【請求項３】
底面（１ｑ）〜（１ｙ）及び、折畳み部（１ａ）〜（１ｐ）にて組合せ形成され、その境界線は時に便になる様に縫い目（５ａ）、（５ｃ）が挿入されている綿素材の布を使用してなる１枚に形成したマット（１）を縫い目（５ａ）、（５ｃ）に沿って折畳み、マット（１ｎ）の裏面に止着されたホック雄（２０ａ）とマット（１ｃ）の裏面に止着されたホック雌（２１ｅ）を結合し、マット（１０）の裏面に止着されたホック雄（２０ｂ）とマット（１ｇ）の裏面に止着されたホック雌（２１ｆ）を結合し、マット（１ｍ）の裏面に止着されたホック雄（２０ｃ）とマット（１１）の裏面に止着されたホック雌（２１ｇ）を結合し、マット（１ｐ）の裏面に止着されたホック雄（２０ｄ）とマット（１ｉ）の裏面に止着されたホック雌（２１ｈ）を結合しフラットなマット小（２９）を構成しプレイルームマットとして使用することを特徴とする請求項１記載のプレイルームマットとプレイジムとクーファンの機能を有するベッドガードの使用方法。
【請求項４】
側面（１ｑ）〜（１ｔ）、（１ｖ）〜（１ｘ）及び底面（１ｕ）にて組合せ形成され、その境界線は箱型に形成時に便になる様に縫い目（５ｂ）、（５ｄ）、（５ｆ）が挿入されている綿素材の布を使用してなる１枚に形成したマット（１）を縫い目（５ｂ）、（５ｄ）、（５ｆ）に沿って箱型に折り曲げ箱の内側に沿って漏斗型の各折畳み部（１ｑ）、（１ｓ）、（１ｗ）、（１ｙ）を形成し該漏斗型の各４隅をマット（１ｉ）に止着されたバックル雄（２３ａ）とマット（１ａ）に止着されたバックル雌（２３ｂ）で連結しマット（１ｃ）に止着されたバックル雄（２４ａ）とマット（１ｇ）に止着されたバックル雌（２４ｂ）を連結し箱型に形成することにより立体構造のボックス型マット小（２８）を構成しマット（１ｕ）にプラスチック製の板（４）を入れ強度を持たせ、小型のゲージ付のプレイルームマットとして使用することを特徴とする請求項１記載のプレイルームマットとプレイジムとクーファンの機能を有するベッドガードの使用方法。
【請求項５】
フラットな状態のマット（１）をプレイルームマットとして使用できることを特徴とする請求項１記載のプレイルームマットとプレイジムとクーファンの機能を有するベッドガードの使用方法。
【請求項６】
マット（１ｂ）の裏面とマット（１ｒ）の裏面の境界線上にはバックル雌（２ａ）、（２ｂ）が止着され、マット（１ｈ）の裏面とマット（１ｘ）の裏面の境界線上にはバックル雌（３ａ）、（３ｂ）が止着されている。バックル雌（２ａ）、（２ｂ）、（３ａ）、（３ｂ）はマット（１）をマット小（２９）に形成した時、底面の端に位置し、ボックス型マット大（２７）に形成した時の底面と側面の境目に位置しマット（１）をボックス型マット小（２８）に形成した時の側面の上部に位置することを特徴とするプレイルームマットとプレイジムとクーファンの機能を有するベッドガード。
【請求項７】
キャリーバンド兼ジムバー（６）に止着されたバックル雄（６ａ）と連結用ジムバー（８）に止着されたバックル雌（８ａ）と連結させ、連結ジムバー（２５）を形成する。キャリーバンド兼ジムバー（７）に止着されたバックル雄（７ａ）と連結用ジムバー（９）に止着されたバックル雌（９ａ）を連結させ連結ジムバー（２６）を形成する。
【請求項８】
二本の連結ジムバー（２５）、（２６）を縛り布（１２）で一つに纏めジム用玩具（１５ａ）〜（１５ｃ）を連結ジムバー（２５）、（２６）へ装着し、連結ジムバー（２５）に止着されたバックル（６ｂ）と、ボックス型マット大（２７）に止着されたバックル（３ｂ）を連結させ、連結ジムバー（２５）に止着されたバックル（８ａ）と、ボックス型マット大（２７）に止着されたバックル（３ａ）を連結させ、連結ジムバー（２６）に試着されたバックル（７ｂ）と、ボックス型マット大（２７）に止着されたバックル（２ｂ）を連結させ、連結ジムバー（２６）に試着されたバックル（９ａ）と、ボックス型マット大（２７）に止着されたバックル（２ａ）を連結させボックス型マット大（２７）に連結ジムバー（２５）、（２６）を装着させることによってゲージ付きのプレイジムとして使用できる。請求項７と上記の方法で作成した連結ジムバー（２５）、（２６）は上記の方法でマット小（２９）に装着でき、プレイジムとして使用できることを特徴とするプレイルームマットとプレイジムとクーファンの機能を有するベッドガードの使用方法。
【請求項９】
請求項７で請求したボックス型マット小（２８）に止着してあるバックル雌（２ａ）とキャリーバンド兼ジムバー（７）に止着してあるバックル雄（７ａ）を連結させ、ボックス型マット小（２８）に止着してあるバックル雌（２ｂ）とキャリーバンド兼ジムバー（７）に止着してあるバックル雄（７ｂ）を連結させ、ボックス型マット小（２８）に止着してあるバックル雌（３ａ）とキャリーバンド兼ジムバー（６）に止着してあるバックル雄（６ａ）を連結させ、ボックス型マット小（２８）に止着してあるバックル雌（３ｂ）とキャリーバンド兼ジムバー（６）に止着してあるバックル雄（６ｂ）を連結させボックス型マット小（２８）へキャリーバンド兼ジムバー（６）、（７）を装着させる。更に縛り布（１２）で二本のキャリーバンド兼ジムバー（６）、（７）を一つに纏めベビーキャリー用のクーファンとして使用する。更にクーファンとして使用しているマット（１）の側面のマット（１ｇ）にはホック雌（１０ａ）、（１０ｂ）が止着され側面のマット（１ｃ）にはホック雌（１０ｃ）が止着されクーファンの持ち手部分となるキャリーバンド兼ジムバー（６）、にはホック雌（１０ｄ）〜（１０ｉ）が止着されており、日よけ布（１１）にはホック雄（１１ａ）〜（１１ｉ）が止着されている。マットに止着されているホック雄（１０ａ）〜（１０ｃ）と日よけ布（１１）に止着されているホック雌（１１ａ）〜（１１ｃ）を各々ａからｃの順に結合し、更にキャリーバンド兼ジムバーに止着されているホック雄（１０ｄ）〜（１０ｉ）と日よけ布（１１）に止着されているホック雌（１１ｄ）〜（１１ｉ）を各々ｄからｉの順に結合しクーファンに日よけ布（１１）を装着し日よけ付きのクーファンとしても使用できることを特徴とする請求項１記載のプレイルームマットとプレイジムとクーファンの機能を有するベッドガードの使用方法。
【請求項１０】
請求項８にて請求したクーファンの持ち手部分となるキャリーバンド兼ジムバー（６）、（７）にプレイジム用玩具（１５ａ）〜（１５ｃ）を装着し使用することにより、プレイジム付きのクーファンとして使用することを特徴とする請求項１記載のプレイルームマットとプレイジムとクーファンの機能を有するベッドガードの使用方法。
【請求項１１】
縛り布（１２）で一つに纏めたキャリーバンド兼ジムバー（６）、（７）にプレイジム用玩具（１５ａ）〜（１５ｃ）を装着し、キャリーバンド兼ジムバー（６）、（７）に止着されたバックル雄（６ａ）、（６ｂ）、（７ａ）、（７ｂ）とクリップ付きバックル（１６）、（１７）、（１８）、（１９）に止着されたバックル雌（１６ｂ）、（１７ｂ）、（１８ｂ）、（１９ｂ）を連結させキャリーバンド兼ジムバー（６）、（７）をクリップ付きバックル（１６）、（１７）、（１８）、（１９）に装着させる。キャリーバンド兼ジムバー（６）、（７）が装着されたクリップ付きバックル（１６）、（１７）、（１８）、（１９）をクリップ付きバックル（１６）、（１７）、（１８）、（１９）に止着されたクリップ（１６ａ）、（１７ａ）、（１８ａ）、（１９ａ）でチャイルドシート等に取り付けることによって、幅が短いものに取り付けることのできる取り外し可能なプレイジムとして使用する。又、縛り布（１２）で一つに纏めた連結ジムバー（２５）、（２６）にプレイジム用玩具（１５ａ）〜（１５ｃ）を装着し、連結ジムバー（２５）、（２６）に止着されたバックル雄（６ｂ）、（７ｂ）、（８ａ）、（９ａ）とクリップ付きバックル（１６）、（１７）、（１８）、（１９）に止着されたバックル雌（１６ｂ）、（１７ｂ）、（１８ｂ）、（１９ｂ）を連結させ、連結ジムバー（２５）、（２６）をクリップ付きバックル（１６）、（１７）、（１８）、（１９）に装着させる。連結ジムバー（２５）、（２６）が装着されたクリップ付きバックル（１６）、（１７）、（１８）、（１９）をクリップ付きバックル（１６）、（１７）、（１８）、（１９）に止着されたクリップ（１６ａ）、（１７ａ）、（１８ａ）、（１９ａ）でベビーベッドの柵等に取り付けることによって、幅が長いものに取り付けることのできる取り外し可能なプレイジムとして使用することを特徴とする請求項１記載のプレイルームマットとプレイジムとクーファンの機能を有するベッドガードの使用方法。
【請求項１２】
マット（１）に止着されたバックル雌（２ａ）、（２ｂ）、（３ａ）、（３ｂ）と連結用ジムバー（８）、（９）に止着されたバックル雌（８ｂ）、（９ｂ）とクリップ付きバックル（１６）、（１７）、（１８）、（１９）に止着されたクリップ付きバックル（１６）、（１７）、（１８）、（１９）に止着されたバックル雌（１６ｂ）、（１７ｂ）、（１８ｂ）、（１９ｂ）は同一形態、同一サイズの雌の構造を持つプラスチック製のバックルを採用しており、キャリーバンド兼ジムバー（６）、（７）に止着されたバックル雄（６ａ）、（６ｂ）、（７ａ）、（７ｂ）と連結用ジムバー（８）、（９）に止着されたバックル雄（８ａ）、（９ａ）は同一形態、同一サイズのプラスチック製の雄の構造を持つプラスチック製のバックルを採用しており、バックル雄（６ａ）、（６ｂ）、（７ａ）、（７ｂ）、（８ａ）、（９ａ）はバックル雌（２ａ）、（２ｂ）、（３ａ）、（３ｂ）、（８ｂ）、（９ｂ）、（１６ｂ）、（１７ｂ）、（１８ｂ）、（１９ｂ）のどれとでも連結させることを可能とした。また、マット（１）に止着されたバックル雄（２３ａ）、（２４ａ）は同一形態、同一サイズの雄の構造を持つプラスチック製のバックルを採用しており、マット（１）に止着されたバックル雌（２３ｂ）、（２４ｂ）同一形態、同一サイズの雌の構造を持つプラスチック製のバックルを採用しているが、バックル雄（２３ａ）、（２４ａ）とバックル雌（２３ｂ）、（２４ｂ）はバックル雄（６ａ）、（６ｂ）、（７ａ）、（７ｂ）、（８ａ）、（９ａ）とバックル雌（２ａ）、（２ｂ）、（３ａ）、（３ｂ）、（８ｂ）、（９ｂ）、（１６ｂ）、（１７ｂ）、（１８ｂ）、（１９ｂ）とはサイズが違うため、バックル雄（２３ａ）、（２４ａ）はバックル雌（２３ｂ）、（２４ｂ）のみと連結させることを可能としたことを特徴とするプレイルームマットとプレイジムとクーファンの機能を有するベッドガード。
【請求項１３】
マット（１）に止着されたホック雄（２０ａ）〜（２０ｄ）は同一形態、同一サイズの雄の構造を持つプラスチック製のホックを採用しており、マット（１）に止着されたホック雌（２１ａ）〜（２１ｈ）は同一形態、同一サイズの雌の構造を持つプラスチック製のホックを採用しており、ホック雄（２０ａ）〜（２０ｄ）はホック雌（２１ａ）〜（２１ｈ）のどれとでも結合させることを可能としたことを特徴とするプレイルームマットとプレイジムとクーファンの機能を有するベッドガード。
【発明の詳細な説明】
【技術分野】
【０００１】この発明は、プレイルームマットとプレイジムとクーファンの機能を有するベッドガードとその使用方法に関するものである。
【背景技術】
【０００２】従来、ベッドガード及びプレイルームマット及びプレイジム及びクーファンと一般的に呼ばれ全てが個別に全国的に販売使用されており、ベッドガードは本体が布製のカバーに中綿が入り弾力性を持たせた細長いマットに、紐などを使用しベッドの柵に縛り付けた形式を採用している。プレイルームマットは布製のカバーに中綿が入り弾力性を持たせた円形もしくは角型のマット形式を採用している。プレイジムは布製の円形マットに布製もしくはプラスチック製のジムバーを取り付ける形式かマットを使用せず布製もしくはプラスチック製のジムバーを単独で使用する形式を採用している。
ベビーキャリー用のクーファンはトウモロコシの茎にて編まれた籠に、外部をその中に藁を挿入した薄い布地にて覆い、更にベビーの頭部を覆う乳母車式の覆いを装着した形式を採用したものか、布製のマット構造を主体にスライドファスナー等で繋ぎ合せた形式を採用している。
【発明の開示】
【発明が解決しようとする課題】
【０００３】しかし、ベッドガードは細長く別の形態での使用が困難である。プレイルームマットは敷物としての使用に限られプレイジムはプレイジムとしての使用の他にはマット部分をプレイルームマットとしての使用に限られ、布製もしくはプラスチック製のジムバーは長い若しくはプラスチック製のため、収納スペースが広く必要となり不便である。又、籠製のクーファンは丸洗いできず、空間が多い構造のため、使用により籠に虫が寄生し、子供に弊害を与る欠点があった。布製のベビーキャリー用のクーファンはベビーキャリー用のクーファン若しくはおむつ交換用のマット及びお昼寝用のマットという使用方法のみに限定されている。最大の問題点は、ベッドガード、プレイルームマット、プレイジム、クーファン全てが個別の形式が採用されているという点である。【０００４】本発明はベッドガード、プレイルームマット、プレイジム、クーファンを同一形態の構造で設計することで一体化させ、しかも丸洗いでき衛生的でベビーに噛み付く害虫が発生せず、尚かつ折りたたんで、全て収納バッグに入れ小スペースで保管できる、皆に好まれるプレイルームマットとプレイジムとクーファンの機能を有するベッドガードの提供を目的とするものである。
【課題を解決するための手段】
【０００５】本発明は、そのため、ベッドガードの構造をベビーベッドの側面に紐などで縛り付ける細長い形ではなく、長方形のマット構造を主体としポリエステル素材のクッション材を中に詰めた１枚のマット構造とする。
マットに６種類の縫い目を投入し、マットの裏面の四隅にホック雄を止着し、ホック雄一つにつき対となるホック雌をマットの裏面の２箇所に止着する。又バックル雄とバックル雌の二対をマットの裏面に止着する。又マットの四辺の中央部分に紐を止着しマット以外のものと結べる様にする。
これを利用用途によって使い分けて形成し形成後を補強することで箱型のマット、小さな箱型のマット、折りたたまれ小さくなったフラットなマットに形成する。又形成をせずフラットなマットとしても使用できる。【０００６】プレイジム用のジムバーとベビーキャリー用のクーファンの持ち手となるキャリーバンドを同一形態のものとし、ジムバーとキャリーバンドの兼用となるバーを２本、長いジムバーを形成するためのバーを２本作成する。【０００７】マットにジムバーを装着させるための連結手段としてバックルを採用し、マットの四箇所に雌のバックルを止着し、ジムバーとキャリーバンドの兼用となるバーの各両端に雄のバックルを止着し、長いジムバーを形成するためのバーの各一端にマット側の雌のバックルと同一形態の雌のバックルを止着し、各一端にジムバーとキャリーバンドの兼用となるバー側の雄のバックルと同一形態の雄バックルを止着する。【０００８】ジムバーをマット以外の場所に設置するための連結手段として、マット側のバックルと同一形態の雌のバックルを止着させたクリップを四つ作成する。プレイジム用の玩具に紐を止着し紐でバーに装着できる様にする。【０００９】この雄のバックルと雌のバックルを連結させることで、長いジムバーを作成したり、又ジムバーとキャリーバンドの兼用となるバーをマットに装着させたり、長いジムバーをマットに装着させたりできる。又ジムバーと雌のバックルを止着させたクリップをチャイルドシートやベッドの柵に取り付け、ジムバーとキャリーバンドの兼用となるバーを装着させたり、長いジムバーを装着させたりできる。【０００１０】これにより、ベッドガード、ゲージ付きのプレイルームマット、プレイルームマット、小型のプレイルームマット、ゲージ付きのプレイジム、プレイジム、クーファン、プレイジム付きのクーファン、取り付けるものによって長さを二種類に調節できる取り外し可能なプレイジムとして使用できる。又クーファンとして使用する際の日よけ布にホック雄を止着しクーファン側にホック雌を止着してホック雄とホック雌を結合させクーファンに日よけ布を装着できる。
【発明の効果】
【００１１】本発明は、上記の手段を講じマット（１）の折畳み方を変えて使用したり、時には折畳んで形状を変えたマットにキャリーバンド兼ジムバー（６）、（７）と連結用ジムバー（８）、（９）を連結させた連結ジムバー（２５）、（２６）を取り付けたり、キャリーバンド兼ジムバー（６）、（７）を取り付けたり、これにプレイジム用玩具（１５ａ）〜（１５ｃ）を取り付けたり、日よけ布（１１）を取り付けたりすることにより、従来のベッドガードやクーファンではベビー成長後に不要になるうえ、ベッドガード、プレイルームマット、プレイジム、クーファンを個別に購入する必要があり、又不要になった後の収納スペースが広く必要で不便であったことに対し、本発明のプレイルームマットとプレイジムとクーファンの機能を有するベッドガードでは、ベッドガード、ゲージ付きのプレイルームマット、小型のゲージ付きのプレイルームマット、プレイルームマット、小型のプレイルームマット、ゲージ付きのプレイジム、プレイジム、クーファン、プレイジム付きのクーファン、日よけ付のクーファン、取り付けるものによって長さを二種類に調節できる取り外し可能なプレイジムとして使用できることによって使用範囲を拡大する効果がある。
【発明を実施するための最良の形態】
【００１２】以下、図１〜図１８に基づき本発明の実施例について更に詳細に説明する。【００１３】図１、２において本発明のプレイルームマットとプレイジムとクーファンの機能を有するベッドガードジムは、図４に示す様に平面状のマットシート形式に形成され、平らなマット（１）は折り畳み形成時に便になる様に縫い目（５ａ）〜（５ｆ）が投入されマット（１ａ）〜（１ｙ）を形成している。更にボックス型マット大（２７）とマット小（２９）形成時に便になる様にマット（１ｎ）の裏面にはホック雄（２０ａ）が止着され、マット（１ｄ）の裏面にはホック雌（２１ａ）が止着され、マット（１０）の裏面にはホック雄（２０ｂ）止着され、マット（１ｆ）にはホック雌（２１ｂ）が止着され、マット（１ｍ）の裏面にはホック雄（２０ｃ）が止着され、マット（１１）の裏面にはホック雌（２１ｃ）が止着され、マット（１ｐ）の裏面にはホック雄（２０ｄ）が止着され、マット（１ｊ）の裏面にはホック雌（２１ｄ）が止着されている。更にボックス型マット小（２８）形成時に便になる様にマット（１ｉ）にはバックル雄（２３ａ）が止着され、マット（１ａ）にはバックル雌（２３ｂ）が止着され、マット（１ｃ）にはバックル雄（２４ａ）が止着され、マット（１ｇ）にはバックル雌（２４ｂ）が止着されている。又、マット（１ｂ）の外側の中央には縛り紐（２２ｄ）が止着され、マット（１ｅ）の外側の中央には縛り紐（２２ａ）が止着され、マット（１ｈ）の外側の中央には縛り紐（２２ｂ）が止着され、マット（１ｋ）には縛り紐（２２ｃ）が止着されている。更に、ボックス型マット大（２７）をベッドガードとして使用する際に便になる様にマット（１ｂ）の裏面とマット（１ｒ）の裏面の境界線上にバックル雌（２ａ）、（３ａ）が止着され、マット（１ｈ）の裏面とマット（１ｘ）の裏面の境界線上にはバックル雌（２ｂ）、（３ｂ）が止着されている。更にバックル雌（２ａ）、（２ｂ）、（３ａ）、（３ｂ）は、キャリーバンド（２）、（３）に縫い付けられており、キャリーバンド（２）、（３）はマット（１）の裏面（１ｒ）、（１ｕ）、（１ｘ）に亘って縫い付けられている。【００１４】図１、２、３、４においてマット（１）を縫い目（５ａ）、（５ｃ）、（５ｅ）に沿って折り曲げ、側面がマット（１ａ）〜（１ｐ）、底面がマット（１ｑ）〜（１ｙ）の箱型を形成する。この時、側面となったマット（１ｍ）〜（１ｐ）は箱型の内側に沿って熨斗型に折畳まれた形状となる。更にホック雄（２０ａ）〜（２０ｄ）とホック雌（２１ａ）〜（２１ｄ）各々ａ〜ｄの順に結合し箱型の四隅を補強しボックス型マット大（２７）を形成する。更にベッドの柵に紐（２２ａ）〜（２２ｄ）で縛りつけ固定しベッドガードとして使用する。【００１５】ボックス型マット大（２７）をベッドから取り出しゲージ付きのプレイルームマットとして使用することも可能である。又、フラットな状態のマット（１）をプレイルームマットとして使用できることは言うまでもない。【００１６】図１、５においてマット（１）を、縫い目（５ａ）、（５ｃ）に沿って折畳み底面がマット（１ｑ）〜（１ｙ）、折畳み部がマット（１ａ）〜（１ｐ）となる平らなマットを形成する。更にホック雄（２０ａ）〜（２０ｄ）とホック雌（２１ｅ）〜（２１ｈ）を各々ａ〜ｄ、ｅ〜ｈの順に結合しマット小（２９）を形成する。形成したマット小（２９）を小型のプレイルームマットとして使用する。【００１７】図１、６においてマット（１）を縫い目（５ａ）〜（５ｄ）、（５ｆ）に沿って折り、側面がマット（１ａ）〜（１ｔ）、（１ｖ）〜（１ｙ）、底面がマット（１ｕ）の箱型を形成する。この時、側面であるマット（１ａ）〜（１ｑ）、（１ｓ）、（１ｗ）、（１ｙ）は折畳まれた形状となる。更にバックル雄（２３ａ）とバックル雌（２３ｂ）を連結し、バックル雄（２４ａ）とバックル雌（２４ｂ）を連結し箱型を補強し、ボックス型マット小（２８）を形成する。ボックス型マット小（２８）を小型のゲージ付きのプレイルームマットとして使用する。【００１８】マット（１）に用いられる材料には、強度弾力性の高いポリエステル素材の厚さ３０ｍｍのクッション材を中に詰め、その端面部はバイアステープにて挟み、覆って補強されている。従って、マット（１）は適度の弾力性に富んだ厚みを保持していることにより各種実施例に基づいた使用方法を用いても常に十分な強度を保持できる状態の厚みにマット（１）が作成されている。又、マット（１）に用いられる材料に通気性がよく、吸湿性の高い綿素材を用いた。【００１９】図１においてバックル雌（２ａ）、（２ｂ）、（３ａ）、（３ｂ）はマット（１）をマット小（２９）に形成した時底面の端に位置し、ボックス型マット大（２７）に形成した時の底面と側面の境目に位置しマット（１）をボックス型マット小（２８）に形成した時の側面の上部に位置するようマット（１ｂ）の裏面とマット（１ｒ）の裏面の境界線上にバックル雌（２ａ）、（３ａ）が止着され、マット（１ｈ）の裏面とマット（１ｘ）の裏面の境界線上にはバックル雌（２ｂ）、（３ｂ）が止着されている。【００２０】図７においてキャリーバンド兼ジムバー（６）、（７）と連結用ジムバー（８）、（９）は布製の円柱の形状をしており、これに用いられる材料には強度弾力性の高いポリエステル素材のクッション材を直径３０ｍｍの円柱状に丸め、通気性がよく、吸湿性の高い綿素材の布で巻いている。また、キャリーバンド兼ジムバー（６）にはバックル雄（６ａ）、（６ｂ）が止着されキャリーバンド兼ジムバー（７）にはバックル雄（７ａ）、（７ｂ）が止着され連結用ジムバー（８）にはバックル雄（８ａ）とバックル雌（８ｂ）が止着され連結用ジムバー（９）にはバックル雄（９ａ）とバックル雌（９ｂ）が止着されている。【００２１】図８においてクリップ付きバックル（１６）にはクリップ（１６ａ）とバックル雌（１６ｂ）が止着され、クリップ付きバックル（１７）にはクリップ（１７ａ）、バックル雌（１７ｂ）が止着され、クリップ付きバックル（１８）にはクリップ（１８ａ）、バックル雌（１８ｂ）が止着され、クリップ付きバックル（１９）にはクリップ（１９ａ）、バックル雌（１９ｂ）が止着されている。【００２２】バックル雄（６ａ）、（６ｂ）、（７ａ）、（７ｂ）、（８ａ）、（９ａ）は同一形態、同一サイズのプラスチック製の雄の構造を持つプラスチック製のバックルを採用しており、バックル雌（２ａ）、（２ｂ）、（３ａ）、（３ｂ）、（８ｂ）、（９ｂ）、（１６ｂ）、（１７ｂ）、（１８ｂ）、（１９ｂ）同一形態、同一サイズのプラスチック製の雌の構造を持つプラスチック製のバックルを採用しており、バックル雄（６ａ）、（６ｂ）、（７ａ）、（７ｂ）、（８ａ）、（９ａ）はバックル雌（２ａ）、（２ｂ）、（３ａ）、（３ｂ）、（８ｂ）、（９ｂ）、（１６ｂ）、（１７ｂ）、（１８ｂ）、（１９ｂ）のどれとでも連結させることが可能である。
また、バックル雄（２３ａ）、（２４ａ）は同一形態、同一サイズの雄の構造を持つプラスチック製のバックルを採用しており、バックル雌（２３ｂ）、（２４ｂ）は同一形態、同一サイズの雌の構造を持つプラスチック製のバックルを採用しているが、バックル雄（２３ａ）、（２４ａ）とバックル雌（２３ｂ）、（２４ｂ）はバックル雄（６ａ）、（６ｂ）、（７ａ）、（７ｂ）、（８ａ）、（９ａ）とバックル雌（２ａ）、（２ｂ）、（３ａ）、（３ｂ）、（８ｂ）、（９ｂ）、（１６ｂ）、（１７ｂ）、（１８ｂ）、（１９ｂ）とはサイズが異なるため、バックル雄（２３ａ）、（２４ａ）はバックル雌（２３ｂ）、（２４ｂ）とのみ連結させることが可能である。【００２３】キャリーバンド兼ジムバー（６）と連結用ジムバー（８）をバックル雄（６ａ）とバックル雌（８ｂ）で連結させ、連結ジムバー（２５）を形成する。キャリーバンド兼ジムバー（７）と連結用ジムバー（９）をバックル雄（７ａ）とバックル雌（９ｂ）で連結させ、連結ジムバー（２６）を形成する。尚、連結ジムバー（２５）、（２６）を形成するときバックル雌（８ｂ）、（９ｂ）はバックル雄（６ａ）、（６ｂ）、（７ａ）、（７ｂ）のどれとでも結合させることができるため、連結用ジムバー（８）、（９）とキャリーバンド兼ジムバー（６）、（７）を連結させるバックル雄とバックル雌の組み合わせは任意となる。【００２４】上記で述べた様にバックル雌（２ａ）、（２ｂ）、（３ａ）、（３ｂ）とバックル雄（６ａ）、（６ｂ）、（７ａ）、（７ｂ）、（８ａ）、（９ａ）を連結することで、マット小（２９）、ボックス型マット大（２７）に連結ジムバー（２５）、（２６）が装着でき、ボックス型マット小（２８）にはキャリーバンド兼ジムバー（６）、（７）が装着できる。【００２５】図９は本発明をゲージ付きのプレイジムとして使用する時の使用状況を示しており、バックル雄（６ｂ）とバックル雌（３ｂ）を連結させ、バックル雄（８ａ）とバックル雌（３ａ）を連結させ、バックル雄（７ｂ）とバックル雌（２ｂ）を連結させ、バックル雄（９ａ）とバックル雌（２ａ）を連結させる。ボックス型マット大（２７）に装着された連結ジムバー（２５）、（２６）にプレイジム用玩具（１５ａ）〜（１５ｃ）を装着し使用することによってゲージ付きのプレイジムとして使用することも可能である。【００２６】図１０はプレイジムとして使用する時の使用状況を示しており、マット小（２９）に００２５項に記載した方法で連結ジムバー（２５）、（２６）を装着し更にプレイジム用玩具（１５ａ）〜（１５ｃ）を装着することによってプレイジムとして使用できることは言うまでもない。【００２７】プレイジムやゲージ付プレイジムとして使用する際に連結ジムバー（２５）、（２６）には縛り布（１２）が装着され連結ジムバー（２５）（２６）を一つに纏め強度をもたせ連結ジムバー（２５）、（２６）が倒れない様に補強されている。【００２８】尚、バックル雄（６ａ）、（６ｂ）、（７ａ）、（７ｂ）、（８ａ）、（９ａ）はバックル雌（２ａ）、（２ｂ）、（３ａ）、（３ｂ）のどれとでも連結させることができるが、連結ジムバー（２５）、（２６）をボックス型マット大（２７）、マット小（２９）に装着させるときは、バックル雌（２ａ）とバックル雌（２ｂ）を一対とし、又バックル雌（３ａ）とバックル雌（３ｂ）を一対とし連結ジムバー（２５）、（２６）のそれぞれ両端のバックル雄を一対として、バックル雌（２ａ）とバックル雌（２ｂ）の一対又はバックル雌（３ａ）とバックル雌（３ｂ）の一対に対して連結ジムバー（２５）、（２６）のそれぞれ両端のバックル雄を一対ずつ連結させ、連結ジムバー（２５）、（２５）のそれぞれがボックス型マット大（２７）又はマット小（２９）の上をバックル雌（２ａ）とバックル雌（２ｂ）を繋いだ線と、バックル雌（３ａ）とバックル雌（３ｂ）を繋いだ線とが平行で尚且つ２本の弧を描く様に装着させる。【００２９】又、本発明の別の形態の実施例となるがバックル雌（２ａ）とバックル雌（３ｂ）を一対とし、バックル雌（３ａ）とバックル雌（２ｂ）を一対とし連結ジムバー（２５）、（２６）のそれぞれ両端のバックル雄を一対ずつ連結させボックス型マット大（２７）又はマット小（２９）の上に連結ジムバー（２５）と連結ジムバー（２６）の２本の弧がクロスする様に装着させても良い。【００３０】図１１は本発明をクーファンとして使用する時の使用状況を説明しており、バックル雌（２ａ）とバックル雄（７ａ）を連結させ、バックル雌（２ｂ）とバックル雄（７ｂ）を連結させ、バックル雌（３ａ）とバックル雄（６ａ）を連結させ、バックル雌（３ｂ）とバックル雄（６ｂ）を連結させ、ボックス型マット小（２８）へキャリーバンド兼ジムバー（６）、（７）を装着することによってベビーキャリー用のクーファンとして使用することが可能である。【００３１】尚、バックル雄（６ａ）、（６ｂ）、（７ａ）、（７ｂ）はバックル雌（２ａ）、（２ｂ）、（３ａ）、（３ｂ）のどれとでも連結させることができるが、キャリーバンド兼ジムバー（６）、（７）をボックス型マット小（２８）に装着させるときはバックル雌（２ａ）とバックル雌（２ｂ）を一対とし、又バックル雌（３ａ）とバックル雌（３ｂ）を一対とし、キャリーバンド兼ジムバー（６）、（７）のそれぞれ両端のバックル雄を一対として、ボックス型マット小（２８）の上をバックル雌（２ａ）とバックル雌（２ｂ）を繋いだ線と、バックル雌（３ａ）とバックル雌（３ｂ）を繋いだ線とが平行で尚且つ２本の弧を描く様に装着させる。【００３２】バックル雄（２３ａ）、（２４ａ）とバックル雌（２３ｂ）、（２４ｂ）はバックル雄（６ａ）、（６ｂ）、（７ａ）、（７ｂ）、（８ａ）、（９ａ）とバックル雌（２ａ）、（２ｂ）、（３ａ）、（３ｂ）、（８ｂ）、（９ｂ）、（１６ｂ）、（１７ｂ）、（１８ｂ）、（１９ｂ）とはサイズが違うため、バックル雄（２３ａ）、（２４ａ）はバックル雌（２３ｂ）、（２４ｂ）との結合に限られるため、バックル雄（２３ａ）、（２４ａ）とバックル雌（２３ｂ）、（２４ｂ）の連結はボックス型マット小（２８）形成時の箱型を補強するためのみに使用され、バックル雄（２３ａ）、（２４ａ）やバックル雌（２３ｂ）、（２４ｂ）をバックル雄（６ａ）、（６ｂ）、（７ａ）、（７ｂ）、（８ａ）、（９ａ）やバックル雌（２ａ）、（２ｂ）、（３ａ）、（３ｂ）、（８ｂ）、（９ｂ）、（１６ｂ）、（１７ｂ）、（１８ｂ）、（１９ｂ）と連結させてしまうような誤使用を防いでいる。【００３３】ボックス型マット小（２８）はベビーが落下して怪我をしない様に、底面となるマット（１ｕ）にプラスチック製の底板（４）を入れ強度を持たせ、連結されたバックル雄（２３ａ）とバックル雌（２３ｂ）、バックル雄（２４ａ）とバックル雌（２４ｂ）が箱型の形状を強固にしている。更にキャリーバンド（２）、（３）は側面となるマット（１ｒ）と底面となるマット（１ｕ）と側面となるマット（１ｘ）に亘って縫い付けられているため、キャリーバンド兼ジムバー（６）とキャリーバンド（３）が一つの輪となり、キャリーバンド兼ジムバー（７）とキャリーバンド（２）が一つの輪となり、二つの輪がボックス型マット小（２８）に止着され、ボックス型マット小（２８）をエンドレスに囲う形状となっているため、キャリーバンドとして十分な力を発揮しキャリー時の安全を保っている。又、キャリー時に便になる様にキャリーバンド兼ジムバー（６）、（７）には縛り布（１２）が装着され、キャリーバンド兼ジムバー（６）、（７）を一つに纏めている。勿論、縛り布（１２）を装着していなくても、十分にベビーキャリー用のクーファンの働きをすることは言うまでもない。【００３４】図１７において縛り布（１２）の裏面の両端には連結ジムバー（２５）、（２６）やキャリーバンド兼ジムバー（６）、（７）を一つに纏める際に便になるようホック（１３）が止着されている。【００３５】図１２においてクーファンのキャリーバンドでもあるキャリーバンド兼ジムバー（６）、（７）にプレイジム用玩具（１５ａ）〜（１５ｃ）を装着しプレイジム付のクーファンとして使用できる。【００３６】図１３は本発明を日よけ付きのクーファンとして使用する時の使用状況を説明しており、マット（１ｇ）の裏面にはホック雌（１０ａ）、（１０ｂ）が止着されマット（１ｃ）の裏面にはホック雌（１０ｃ）が止着されキャリーバンド兼ジムバー（６）、（７）にはホック雌（１０ｄ）〜（１０ｉ）が止着されており、図１７で示す通り日よけ布（１１）にはホック雄（１１ａ）〜（１１ｉ）が止着されている。ベビーキャリー用のクーファンを屋外で利用する際は、日よけ布（１１）をホック雌（１０ａ）〜（１０ｉ）とホック雄（１１ａ）〜（１１ｉ）を各々ａ〜ｉの順に結合させクーファンに日よけ布（１１）を装着しベビーの頭部を覆うことができる日よけ付きのクーファンとして使用する。【００３７】図１４は、本発明のキャリーバンド兼ジムバー（６）、（７）を取り外し可能なプレイジムとして使用する時の使用状況を説明しており、バックル雄（６ｂ）、（７ｂ）、（８ａ）、（９ａ）とバックル雌（１６ｂ）、（１７ｂ）、（１８ｂ）、（１９ｂ）を連結させキャリーバンド兼ジムバー（６）、（７）をクリップ付きバックル（１６）、（１７）、（１８）、（１９）に装着させる。キャリーバンド兼ジムバー（６）、（７）にプレイジム用玩具（１５ａ）〜（１５ｃ）を装着し、更にクリップ（１６ａ）、（１７ａ）、（１８ａ）、（１９ａ）をチャイルドシート等に取り付けることによって、幅が短いものに取り付けることのできる取り外し可能なプレイジムとして使用することが可能である。このときキャリーバンド兼ジムバー（６）、（７）には縛り布（１２）が装着されキャリーバンド兼ジムバー（６）、（７）を一つに纏め強度をもたせている。【００３８】図１５は、本発明の連結ジムバー（２５）、（２６）を取り外し可能なプレイジムとして使用する時の使用状況を説明しており、バックル雄（６ｂ）、（７ｂ）、（８ａ）、（９ａ）とバックル雌（１６ｂ）、（１７ｂ）、（１８ｂ）、（１９ｂ）と連結させ、連結ジムバー（２５）、（２６）をクリップ付きバックル（１６）、（１７）、（１８）、（１９）に装着させる。連結ジムバー（２５）、（２６）にプレイジム用玩具（１５ａ）〜（１５ｃ）を装着し、クリップ（１６ａ）、（１７ａ）、（１８ａ）、（１９ａ）をベビーベッドの柵等に取り付けることによって、幅が長いものに取り付けることのできる取り外し可能なプレイジムとして使用することが可能である。このとき連結ジムバー（２５）、（２６）には縛り布（１２）が装着され連結ジムバー（２５）、（２６）を一つに纏め強度をもたせている。【００３９】尚、キャリーバンド兼ジムバー（６）、（７）と連結用ジムバー（８）、（９）とクリップ付バックル（１６）、（１７）、（１８）、（１９）をワンセットとして、長さを二種類に調節できる取り外し可能なプレイジムとして単独で販売できる。【００４０】図１６は本発明のプレイルームマットとプレイジムとクーファンの機能を有するベッドガードジムの収納状況を説明しており、マット（１）を縫い目（５ｂ）、（５ｄ）に沿って小さくなるよう折畳まれ、プレイルームマットとプレイジムとクーファンの機能を有するベッドガードをすべて、収納バッグ（１４）に入れ小スペースでの保管を可能にしている。【００４１】本発明のプレイルームマットとプレイジムとクーファンの機能を有するベッドガードジムは布製を主体であるため、丸洗いを可能にした。
【産業上の利用可能性】
【００４２】以上詳述した様に、本発明によれば、従来から販売されている固定構造及び個別形式のベッドガード、プレイルームマット、プレイジム、クーファンの効果以上に、使用効率の高いプレイルームマットとプレイジムとクーファンの機能を有するベッドガードを得ることができた。この利用用途はベッドガード、ゲージ付きのプレイルームマット、小型のゲージ付きのプレイルームマット、プレイルームマット、小型のプレイルームマット、ゲージ付きのプレイジム、プレイジム、クーファン、プレイジム付きのクーファン、日よけ付きのクーファン、幅の長い場所に取り付けることのできる取り外し可能なプレイジム、幅の短い場所に取り付けることのできる取り外し可能なプレイジムが考えられ、又これを自宅での使用のほか外出時に持参し使用することで、これに置かれたベビーは自宅での景色と似た景色を得ることができベビーの安心を得ることが考えられ、従来に無い、機能の付加価値を得ることができる。【００４３】図１８に示す、従来のベッドガードのスタンダードスタイル形式と異なり、多機能で、使い回しが利くことをアピールしたプレイルームマットとプレイジムとクーファンの機能を有するベッドガードを市場に供給することができる。【００４４】同時に、害虫などが付着しベビーに悪影響を与える問題もなく、高級・安全・清潔をアピールしたプレイルームマットとプレイジムとクーファンの機能を有するベッドガードを市場に供給することができる。
【図面の簡単な説明】
【図１】本発明のマットの裏面の平面図
【図２】本発明のマットの表面の平面図
【図３】本発明がボックス型マット大に形成された状態を示す平面図
【図４】本発明のベッドガードとしての使用状況を示す平面図
【図５】本発明がマット小に形成された状態を示す平面図
【図６】本発明がボックス型マット小に形成された状態を示す平面図
【図７】本発明の連結ジムバーの組み立て使用状況を示す平面図
【図８】本発明のクリップ付きバックルの斜視図
【図９】本発明のゲージ付のプレイジムとしての使用状況を示す平面図
【図１０】本発明のプレイジム使用状況を示す平面図
【図１１】本発明のクーファンとしての使用状況を示す平面図
【図１２】本発明のプレイジム付きのクーファンとしての使用状況を示す平面図
【図１３】本発明の日よけ付きのクーファンとしての使用状況を示す平面図
【図１４】本発明の幅が短いものに取り付けることのできる取り外し可能なプレイジムの使用状況を示す斜視図
【図１５】本発明の幅が長いものに取り付けることのできる取り外し可能なプレイジムの使用状況を示す斜視図
【図１６】本発明の収納保管状況を示す平面図
【図１７】本発明の日よけ布と縛り布の裏面の平面図
【図１８】従来のベッドガードの斜視図
【符号の説明】
１・・・マット
１ａ、１ｂ、１ｃ、１ｂ、１ｅ、１ｆ、１ｇ、１ｈ、１ｉ、１ｊ、１ｋ、１ｌ、１ｍ、１ｎ、１ｏ、１ｐ、１ｑ、１ｒ、１ｓ、１ｔ、１ｕ、１ｖ、１ｗ、１ｘ、１ｙ・・・マット
２、３・・・補強バンド
２ａ、２ｂ、３ａ、３ｂ・・・バックル雌
４・・・底板
５ａ、５ｂ、５ｃ、５ｄ、５ｅ、５ｆ・・・縫い目
６、７・・・キャリーバンド兼ジムバー
８、９・・・連結用ジムバー
６ａ、６ｂ、７ａ、７ｂ、８ａ、９ａ・・・バックル雄
８ｂ、９ｂ・・・バックル雌
１０ａ、１０ｂ、１０ｃ、１０ｄ、１０ｅ、１０ｆ、１０ｇ、１０ｈ、１０ｉ・・・ホック雌
１１・・・日よけ布
１１ａ、１１ｂ、１１ｃ、１１ｄ、１１ｅ、１１ｆ、１１ｇ、１１ｈ、１１ｉ・・・ホック雄
１２・・・縛り布
１３・・・ホック
１４・・・収納バッグ
１５ａ、１５ｂ、１５ｃ・・・プレイジム用玩具
１６、１７、１８、１９・・・クリップ付きバックル
１６ａ、１７ａ、１８ａ、１９ａ・・・クリップ
１６ｂ、１７ｂ、１８ｂ、１９ｂ・・・バックル雌
２０ａ、２０ｂ、２０ｃ、２０ｄ・・・ホック雄
２１ａ、２１ｂ、２１ｃ、２１ｄ、２１ｅ、２１ｆ、２１ｇ、２１ｈ・・・ホック雌
２２ａ、２２ｂ、２２ｃ、２２ｄ・・・縛り紐
２３ａ、２４ａ・・・バックル雄
２３ｂ、２４ｂ・・・バックル雌
２５、２６・・・連結ジムバー
２７・・・ボックス型マット大
２８・・・ボックス型マット小
２９・・・マット小
３０・・・チャイルドシートの想像図
３１・・・ベビーベッドの想像図
【図１】
2008307349.tif 000003
【図２】
2008307349.tif 000004
【図３】
2008307349.tif 000005
【図４】
2008307349.tif 000006
【図５】
2008307349.tif 000007
【図６】
2008307349.tif 000008
【図７】
2008307349.tif 000009
【図８】
2008307349.tif 000010
【図９】
2008307349.tif 000011
【図１０】
2008307349.tif 000012
【図１１】
2008307349.tif 000013
【図１２】
2008307349.tif 000014
【図１３】
2008307349.tif 000015
【図１４】
2008307349.tif 000016
【図１５】
2008307349.tif 000017
【図１６】
2008307349.tif 000018
【図１７】
2008307349.tif 000019
【図１８】
2008307349.tif 000020